(57)【要約】【課題】  印判のキャップを嵌合保持することができ、且つ最低限の力でキャップの取外しを行うことができる印判スタンドを提供することを目的としている。【解決するための手段】  外筒と、該外筒より小径で上端が開口した、印判を収納可能な内筒と、前記外筒と内筒を上端で連結する天壁と、を備えた印判スタンドであって、前記外筒及び前記内筒の下端には、外筒下端開口部、内筒下端開口部をそれぞれ有しており、前記内筒の上端または下端より前記印判のキャップを挿脱着可能とする嵌合部を前記内筒に形成した印判スタンドである。【選択図】図３
2020001214.tif 000002
【特許請求の範囲】
【請求項１】
外筒と、
該外筒より小径で上端が開口した、印判を収納可能な内筒と、
前記外筒と内筒を上端で連結する天壁と、
を備えた印判スタンドであって、
前記外筒及び前記内筒の下端には、外筒下端開口部、内筒下端開口部をそれぞれ有しており、前記内筒の上端または下端より前記印判のキャップを挿脱着可能とする嵌合部を前記内筒に形成した事を特徴する印判スタンド。
【請求項２】
前記嵌合部は、前記内筒の内側に向けて形成されるフランジを含むことを特徴とする請求項１に記載の印判スタンド。
【請求項３】
前記キャップに印判本体を装着したことを特徴とする請求項２に記載の印判スタンド。
【請求項４】
前記嵌合部は、前記内筒の外側に向けて形成されるフランジを含むことを特徴とする請求項１に記載の印判スタンド。
【請求項５】
前記外筒下端開口部の内径と前記キャップの外径の間に指が入る程度の隙間を設けたことを特徴とする請求項１〜４に記載の印判スタンド。
【発明の詳細な説明】
【技術分野】
【０００１】
本発明は、印判のキャップを嵌合保持することができ、且つ前記キャップの取外しが容易な印判スタンドに関する。
【背景技術】
【０００２】
従来から、印判のキャップを圧入嵌合して保持する有底筒状の捕捉部と、前記捕捉部の側面に設けた開口部と、前記捕捉部の下端面に吸盤体を取り付けた印判スタンドの開示がある（例えば、特許文献１参照）。
【先行技術文献】
【特許文献】
【０００３】
【特許文献１】特許５５２０７１１号公報
【発明の概要】
【発明が解決しようとする課題】
【０００４】
しかしながら、特許文献１では、捕捉部で保持されたキャップを取り外す際、側面の開口部から、キャップ底面部の下に棒状部材を挿入し、テコの原理を利用してキャップを持ち上げる必要があった。その場合、キャップには斜め上方向に力が加わり、キャップ周面は捕捉部の内壁に当接しながら上昇する。その為、キャップ周面と捕捉部との間で摩擦力が大きくなり、キャップを取り外す際、必要以上の力を要する。捕捉部がエラストマー等、摩擦係数の大きい素材である場合、その力は更に大きなものとなる。
【０００５】
本発明は、印判のキャップを嵌合保持することができ、且つ最低限の力でキャップの取外しを行うことができる印判スタンドを提供することを目的としている。
【課題を解決するための手段】
【０００６】
上記の課題を解決するために完成された第１の発明は、外筒と、該外筒より小径で上端が開口した、印判を収納可能な内筒と、前記外筒と内筒を上端で連結する天壁と、を備えた印判スタンドであって、前記外筒及び前記内筒の下端には、外筒下端開口部、内筒下端開口部をそれぞれ有しており、前記内筒の上端または下端より前記印判のキャップを挿脱着可能とする嵌合部を前記内筒に形成した事を特徴する印判スタンドである。
【０００７】
上記の課題を解決するために完成された第２の発明は、前記嵌合部は、前記内筒の内側に向けて形成されるフランジを含むことを特徴とする第１の発明に記載の印判スタンドである。
【０００８】
上記の課題を解決するために完成された第３の発明は、前記キャップに印判本体を装着したことを特徴とする第２の発明に記載の印判スタンドである。
【０００９】
上記の課題を解決するために完成された第４の発明は、前記嵌合部は、前記内筒の外側に向けて形成されるフランジを含むことを特徴とする第１の発明に記載の印判スタンドである。
【００１０】
上記の課題を解決するために完成された第５の発明は、前記外筒下端開口部の内径と前記キャップの外径の間に指が入る程度の隙間を設けたことを特徴とする第１〜４の発明に記載の印判スタンドである。
【発明の効果】
【００１１】
第１の発明では、外筒と、該外筒より小径で上端が開口した、印判を収納可能な内筒と、前記外筒と内筒を上端で連結する天壁と、を備えた印判スタンドであって、前記外筒及び前記内筒の下端には、外筒下端開口部、内筒下端開口部をそれぞれ有しており、前記内筒の上端または下端より前記印判のキャップを挿脱着可能とする嵌合部を前記内筒に形成している為、キャップを印判スタンド内に固定して収納でき、且つキャップを取り外す際には内筒上下端開口部から、棒状物或いは指を挿入し、押し込むことによりキャップを真上又は真下方向に移動させることができる為、キャップの取外しが容易である。
【００１２】
第２の発明では、前記嵌合部は、前記内筒の内側に向けて形成されるフランジを含む為、印判スタンド内にキャップを挿入嵌合する際、前記フランジがストッパーとして働き、キャップを適切な位置に装着できると同時に、押し込み過ぎによるキャップの印判スタンドからの脱離を防止できる。
【００１３】
第３の発明では、前記キャップに印判本体を装着している為、キャップが印判の収容部分を兼用できる。その為、印判収容部を別途設ける必要がなく、印判スタンドを小型化することができる。更に、印判スタンドを、印判を収納した状態で倒したり、逆さ向きにしても、印判とキャップとの嵌合力により、印判が印判スタンドから脱離することがない。
【００１４】
第４の発明では、前記嵌合部は、前記内筒の外側に向けて形成されるフランジを含んでいる為、印判スタンド内にキャップを挿入嵌合する際、前記フランジがストッパーとして働き、キャップを適切な位置に装着できる。更に印判は、印判スタンドに装着時、前記内筒と嵌合していない為、印判スタンドを置いたまま片手で印判の出し入れを行えるので操作性が優れている。
【００１５】
第５の発明では、前記外筒下端開口部の内径と前記キャップの外径の間に指が入る程度の隙間を設けている為、印判スタンドの内筒に嵌合したキャップを指で摘まんで取り外すことができる。
【図面の簡単な説明】
【００１６】
【図１】本発明の第１の実施形態による印判スタンドの斜視図である。
【図２】図１の印判スタンドの断面図である。
【図３】図２の状態からキャップを嵌合保持した状態を示す印判スタンドの断面図である。
【図４】図３の状態から印判を挿入した状態を示す印判スタンドの断面図である。
【図５】本発明の第２の実施形態による印判スタンドの断面図である。
【図６】図５の状態からキャップを嵌合保持した状態を示す印判スタンドの断面図である。
【図７】本発明の第３の実施形態による印判スタンドの斜視図である。
【図８】図７の印判スタンドの断面図である。
【図９】図８の状態からキャップを嵌合保持した状態を示す印判スタンドの断面図である。
【図１０】図９の状態から印判を挿入した状態を示す印判スタンドの断面図である。
【発明を実施するための形態】
【００１７】
以下に図面を参照して、本発明の第1の実施形態による印判スタンドを図１〜図４に基づいて説明する。
尚、本発明において「上端」「上方」とは、前記天壁側を指し、「下端」「下方」とは、その反対側を指す。
図１〜図４に示すように印判スタンド１は、上端・下端が開口した丸型の外筒２と、該外筒２より小径で上端・下端が開口した、印判を収納可能な丸型の内筒３と、前記外筒２と内筒３を上端で連結する天壁４とを備えた樹脂製のものである。前記内筒３の下端には内筒下端開口部３ａを有しており、前記内筒下端開口部３ａの内径は印判５のキャップ６の外径よりも大きく成形している。前記内筒３の下端より前記印判５のキャップ６を、キャップ開口部を上向きにした状態で前記内筒３に挿脱着可能とする嵌合部３ｂを前記内筒３の内周壁に形成している。ここで挿脱着とは、挿入させて取り付けたり、外したりする事と定義する。
【００１８】
前記嵌合部３ｂは、図２に示すように、前記内筒３の内周壁に形成された複数の凸部で構成されている。また、前記嵌合部３ｂの上方には、図２、図３に示すように、前記内筒３の内側に向けてフランジ３ｃが形成されている。前記フランジ３ｃの突起部の張り出しは、前記キャップ６の厚みと同程度か、それより短く設定している。
【００１９】
図４に示すように、前記キャップ６を前記内筒３に装着した状態で、前記キャップ６は印判収納部を兼用している。尚、前記キャップ６と前記印判５は互いに嵌合するように構成されている。
【００２０】
前記外筒２の下端には、図３、図４に示すように、外筒下端開口部２ａを有しており、前記外筒下端開口部２ａの内径と前記キャップ６の外径の間に指が入る程度の隙間を設けている。
【００２１】
前記外筒２は、図２〜図４に示すように、外周全体を覆う透明のカバー体７で覆ってもよい。前記カバー体７は、前記印判スタンド１の形状と同様の形状をしており、前記外筒２の上から被せ、前記外筒２と嵌合して固定することができる。前記外筒２と前記カバー体７の間には収納部を設け、収納片（図示せず）を収納する。収納片は、写真、フィルム、印刷物、布、デザイン画等の装飾を目的とするものや、文字や絵等を書き留めた紙片等、その内容、材質、大きさは使用者の所望のものでよい。
【００２２】
次に、本発明の第１の実施形態の作用・効果について説明する。
前記キャップ６を前記印判スタンド１に収納する前の状態（図２）において、前記キャップ６を前記内筒下端開口部３ａより、キャップ開口部を上向きにして挿入することで、前記キャップ６が前記内筒３の内側に挿入され、前記嵌合部３ｂの凸部と、前記キャップ６の外周壁が当接し、その摩擦力により前記キャップ６を前記内筒３に嵌合保持する事ができる（図３）。
また、前記印判５に前記キャップ６を装着した状態で、前記印判５を、キャップ側を下向きにして前記内筒下端開口部３ａより挿入し、前記キャップ６を嵌合保持する事も可能である。
また、前記内筒３に嵌合された前記キャップ６を取り外す際には、図３の状態において、前記内筒３の上端開口部から棒状物或いは指を挿入し、前記キャップ６を挿入した方向とは逆方向（下方向）へ押し込むことにより前記キャップ６を真下方向に移動させることができる。その為、前記キャップ６と前記内筒内周壁との間で余計な摩擦力が生じず最低限の力で前記キャップ６の取外しが可能である。
【００２３】
更に、前記嵌合部３ｂには前記内筒２の内側に向けて前記フランジ３ｃが形成されている為、前記印判スタンド１内に前記キャップ６を挿入嵌合する際、前記フランジ３ｃがストッパーとして働き、前記キャップ６を適切な位置に装着できると同時に、押し込み過ぎによる前記キャップ６の前記印判スタンド１からの脱離を防止できる。
【００２４】
前記印判５を収納する際は、前記キャップ６を前記内筒３に装着した状態で、前記内筒３の上端開口部から前記印判５を挿入し、前記キャップ６と嵌合することができる為、印判収容部を別途設ける必要がなく、前記印判スタンド１を小型化することができる。更に、前記印判スタンド１を、前記印判５を収納した状態で倒したり、逆さ向きにしても、前記印判５と前記キャップ６との嵌合力により、前記印判５が前記印判スタンド１から脱離することがない。
【００２５】
前記外筒２の下端には外筒下端開口部２ａを有しており、前記外筒下端開口部２ａの内径と前記キャップ６の外径の間に指が入る程度の隙間を設けている為、前記印判スタンド１の前記内筒３に嵌合した前記キャップ６を指で摘まんで取り外すことができる。
【００２６】
前記外筒２には、外周全体を覆う透明のカバー体７で覆ってもよく、その場合、前記外筒２と前記カバー体７の間に収納片を収納することができる為、前記収納片を前記外筒２と前記カバー体７の間に収納保持したとき、前記外筒２を外側から見た場合に、表面に収納片が透けて見えることになる。よって、収納片を使用者の好みの写真やデザイン画等にした場合、前記外筒２外周面にその写真等が透けて見え、使用者オリジナルの外観をもった印判スタンドができる。
【００２７】
ここで、前記内筒３及び外筒２は丸型に限らず、三角型、四角型、多角形型、楕円型等任意の形状を採用する事ができ、またその材質は樹脂以外に金属、ガラス、セラミック等、摩擦係数の小さい材質であれば適宜採用できる。
また、前記内筒３に設けた嵌合部３ｂは、圧入嵌合以外に凹凸嵌合等も採用可能である。
【００２８】
前記カバー体７と前記外筒２との嵌合方法は凹凸嵌合、圧入嵌合等、ネジ嵌合等、種々採用できる。但し、前記カバー体７は、必ずしも前記外筒２と嵌合する必要はなく、前記外筒２の上から被せるだけで構成してもよい。
【００２９】
次に、本発明の第２の実施形態の印判スタンドを図５、図６に基づいて説明する。ここでは、前記した第１の実施形態と異なる点のみを説明する。
前記内筒３の上端より前記印判５の前記キャップ６を、キャップ開口部を上向きにした状態で挿入し前記内筒３に脱着可能とする嵌合部３ｂを前記内筒３の内周壁に形成している。
【００３０】
前記嵌合部３ｂは、図５、図６に示すように、前記内筒３の内周壁上方に形成された複数の凸部で構成されている。また、前記内筒下端開口部３ａには、内側に向けてフランジ３ｃが形成されている。
【００３１】
次に、本発明の第２の実施形態の作用・効果について説明する。ここでは、前記した第１の実施形態と異なる点のみを説明する。  
前記キャップ６を前記印判スタンド１に収納する前の状態（図５）において、前記キャップ６を前記内筒３の上端開口部より、キャップ開口部を上向きにして挿入することで、前記キャップ６が前記内筒３の内側に挿入され、前記キャップ６の外周壁が前記嵌合部３ｂの凸部を乗り越え、前記キャップ６開口部端の真上に前記嵌合部３ｂが位置する事で前記キャップ６を嵌合保持する事ができる（図６）。  
また、前記印判５に前記キャップ６を装着した状態で、前記印判５を、キャップ側を下向きにして前記内筒３の上端開口部より挿入し、前記キャップ６を嵌合保持する事も可能である。この場合、前記印判５と前記キャップ６との嵌合力よりも、前記印判スタンド１と前記キャップ６との嵌合力を大きく設定する必要がある。こうすることで、前記キャップ６は前記印判スタンド１に保持された状態で前記印判５を前記印判スタンド１から引き抜くことができる。
また、前記内筒３に嵌合された前記キャップ６を取り外す際には、図６の状態において、前記内筒下端開口部３ａから棒状物或いは指を挿入し、前記キャップ６を挿入した方向とは逆方向（下方向）から押し込むことにより前記キャップ６を真上方向に移動させ、前記キャップ６を取り外すことができる。
【００３２】
ここで、前記フランジ３ｃの張り出しは、前記内筒下端開口部３ａより、指、棒状物などが挿入できる程度の隙間があれば、任意の値に設定して良い。
また、前記内筒３に設けた嵌合部３ｂは、凹凸嵌合以外に圧入嵌合等も採用可能である。
【００３３】
次に、本発明の第３の実施形態の印判スタンドを図７〜図１０に基づいて説明する。ここでは、前記した第１、２の実施形態と異なる点のみを説明する。
前記内筒下端開口部３ａの外径は、前記キャップ６の内径よりも小さく成形している。前記内筒３の下端より、前記印判５の前記キャップ６をキャップ開口部を上向きにした状態で挿入し、前記内筒３に脱着可能とする嵌合部３ｂを前記内筒３の外周壁に形成している。
【００３４】
前記嵌合部３ｂは、図８、図９に示すように、前記内筒３の外側に向けて形成されるフランジ３ｃを含んでいる。また、前記嵌合部３ｂは、前記内筒３の外周径が、前記内筒３の下端部から上方にいくに従って大きくなるテーパ部で構成されており、前記フランジ３ｃ近傍において前記内筒３の外周径は前記キャップ６の内径よりも少し大きく成形している。
【００３５】
また、前記内筒３の内周壁には前記嵌合部３ｃと対応する位置に、内側に向けて段部３ｄが形成されていることが好ましい。前記段部３ｄより上方の前記内筒３の内径は、図１０に示すように、収納する前記印判５の外径より大きく成形している。
前記段部３ｄの張り出しは、図１０に示すように、前記印判５の印字体枠の厚みと同程度か、それより短く設定されている。
【００３６】
次に、本発明の第３の実施形態の作用・効果について説明する。ここでは、前記した第１、２の実施形態と異なる点のみを説明する。  
本実施形態の印判スタンド１は、前記キャップ６を前記印判スタンド１に収納する前の状態（図８）において、前記キャップ６を前記内筒下端部より、キャップ開口部を上向きにして挿入することで、前記キャップ６の開口部内側に前記内筒３が挿入され、前記嵌合部３ｂのテーパ部と、前記キャップ６の内周壁が当接し、その摩擦力により前記キャップ６を嵌合保持する事ができる（図９）。
前記印判５を収納する際は、前記内筒３の上端開口部から前記印判５を挿入し、前記印判５の印字体枠が前記段部３ｄに係止する事で収納可能である。
また、前記段部３ｄより上方の前記内筒３の内径は収納する前記印判５の外径より大きく成形している為、前記印判スタンド１を設置面に置いたまま、片手で前記印判５を前記印判スタンド１から出し入れすることができ、操作性が優れている。
【００３７】
ここで、前記内筒３に設けた嵌合部３ｂは、圧入嵌合以外に凹凸嵌合等も採用可能である。
【００３８】
以上、本発明に係る印判スタンドの好ましい実施形態を説明したが、本発明の技術的思想は、ここで説明された実施形態に限定して解釈されるべきではない。当業者は、本発明の要旨又は技術思想から逸脱しない範囲で、この実施形態を適宜、変更又は改良を加えることができる。そのような変更又は改良を伴う印判スタンド及び関連する周辺技術は、本発明の技術的範囲に包含されるものとして理解されなければならない。
【符号の説明】
【００３９】
１  印判スタンド
２  外筒
２ａ  外筒下端開口部
３  内筒  
３ａ  内筒下端開口部
３ｂ  嵌合部
３ｃ  フランジ
３ｄ  段部
４  天壁
５  印判
６  キャップ
７  カバー体
【図１】
2020001214.tif 000003
【図２】
2020001214.tif 000004
【図３】
2020001214.tif 000005
【図４】
2020001214.tif 000006
【図５】
2020001214.tif 000007
【図６】
2020001214.tif 000008
【図７】
2020001214.tif 000009
【図８】
2020001214.tif 000010
【図９】
2020001214.tif 000011
【図１０】
2020001214.tif 000012